(57)【要約】【課題】能動音響演出装置をオン・オフする演出音オン・オフスイッチの取り付けコストを低減する。【解決手段】ダッシュボード７０に配置されるオーディオ装置１４用の操作パネル１８に能動音響演出装置１２の作動・非作動を切り替える演出音オン・オフスイッチ６６を設けるように構成したので、ダッシュボード７０上、オーディオ装置１４の操作パネル１８の取り付け位置以外の他の位置に演出音オン・オフスイッチを個別に取り付ける従来技術に比較して演出音オン・オフスイッチ６６の取り付けコストを低減することができる。【選択図】図１
2007253841.tif 000002
【特許請求の範囲】
【請求項１】
車両に搭載される音響システムにおいて、
車両の振動・騒音に基づいて生成される演出音信号に応じた演出音をスピーカから出力する能動音響演出装置と、
音源に基づいて生成されるオーディオ信号に応じた楽音を前記スピーカから出力するオーディオ装置と、
前記オーディオ装置の機能を操作する操作パネルとを備え、
前記オーディオ装置の操作パネルに前記能動音響演出装置の作動・非作動を切り替える作動切替部を設けた
ことを特徴とする車載音響システム。
【請求項２】
請求項１記載の車載音響システムにおいて、
前記能動音響演出装置は、前記演出音信号を増幅する増幅部を含み、前記能動音響演出装置が前記作動切替部により非作動とされたとき、前記増幅部の増幅率を所定増幅率からゼロ値に切り替える増幅率・ゼロ切替部
をさらに備えることを特徴とする車載音響システム。
【請求項３】
請求項２記載の車載音響システムにおいて、
前記増幅部の増幅率が、ＥＥＰＲＯＭのメモリ内容の書き換えによって切り替えられるように構成されている
ことを特徴とする車載音響システム。
【発明の詳細な説明】
【技術分野】
【０００１】
この発明は、車両の振動・騒音に基づいて生成される演出音信号に応じた演出音をスピーカから出力する能動音響演出装置と、音源に基づいて生成されるオーディオ信号に応じた楽音を前記スピーカから出力するオーディオ装置とを備える車載音響システムに関する。
【背景技術】
【０００２】
従来から、車両に搭載され、車両の振動・騒音に基づいて生成される演出音信号に応じた演出音をラジオ用等のスピーカから出力する能動音響演出装置が提案されている（特許文献１）。
【０００３】
この能動音響演出装置では、エンジン回転数に比例した周波数成分信号を生成し、この周波数成分信号をアクセル開度に応じて増幅器により増幅しスピーカから擬似排気音として出力するようにしている。
【０００４】
【特許文献１】特許第３２６１１２８号公報
【発明の開示】
【発明が解決しようとする課題】
【０００５】
ところで、このような能動音響演出装置を搭載する車両において、乗員が車両内で会話を行おうとする場合等、車内の静粛さを得たいとき演出音が不必要とされる場合がある。
【０００６】
上記した特許文献１では、静粛さを得たいとき、擬似排気音が不必要な場合には能動音響演出装置のスイッチ（オン・オフスイッチ）を切ればよいと記載されている。
【０００７】
しかしながら、従来、車両において能動音響演出装置はオプション装備とされオン・オフスイッチはダッシュボードに専用に個別に設けられているので、オン・オフスイッチ自体のコストの他、取り付けコスト（工数）がかかりコストが増加するという問題がある。
【０００８】
この発明は、上記の課題を考慮してなされたものであって、能動音響演出装置のオン・オフスイッチの取り付けコストを低減することを可能とする車載音響システムを提供することを目的とする。
【０００９】
また、この発明は、簡易な構成で能動音響演出装置の作動、非作動を切り替えることを可能とする車載音響システムを提供することを目的とする。
【課題を解決するための手段】
【００１０】
この発明に係る車載音響システムは、車両に搭載される音響システムにおいて、以下の特徴（１）〜（３）を有する。
【００１１】
（１）車両の振動・騒音に基づいて生成される演出音信号に応じた演出音をスピーカから出力する能動音響演出装置と、音源に基づいて生成されるオーディオ信号に応じた楽音を前記スピーカから出力するオーディオ装置と、前記オーディオ装置の機能を操作する操作パネルとを備え、前記オーディオ装置の操作パネルに前記能動音響演出装置の作動・非作動を切り替える作動切替部を設けたことを特徴とする。
【００１２】
この発明によれば、オーディオ装置用の操作パネルに能動音響演出装置の作動・非作動を切り替える作動切替部を設けるように構成したので、オーディオ装置の操作パネルの取り付け位置以外の他の位置に専用かつ個別に取り付ける従来技術に比較して作動切替部の取り付けコストを低減することができる。なお、オーディオ装置用の操作パネルは、ダッシュボード、ステアリングハンドルあるいは後席用リモコン等に設けられる。
【００１３】
（２）上記の特徴（１）を有する発明において、前記能動音響演出装置は、前記演出音信号を増幅する増幅部を含み、前記能動音響演出装置が前記作動切替部により非作動とされたとき、前記増幅部の増幅率を所定増幅率からゼロ値に切り替える増幅率・ゼロ切替部をさらに備えることを特徴とする。
【００１４】
この発明によれば、能動音響演出装置を作動から非作動とするときに、増幅部の増幅率を所定増幅率からゼロ値に切り替える増幅率・ゼロ切替部を備えているので、能動音響演出装置の作動を非作動に切り替えるのに能動音響演出装置に電気を供給する電源オン・オフスイッチが不要となることから構成を簡単にできる。
【００１５】
（３）上記の特徴（２）を有する発明において、前記増幅部の増幅率が、ＥＥＰＲＯＭのメモリ内容の書き換えによって切り替えられるように構成されていることを特徴とする。この発明によれば、増幅率を所望の増幅率に変更することができる。
【００１６】
なお、上記の特徴（３）を有する発明において、前記作動切替部のユーザによる非作動への切替操作により、前記ＥＥＰＲＯＭのメモリ内容が前記所定増幅率からゼロ値に切り替えられたとき、前記ＥＥＰＲＯＭへの所定増幅率への書き換えを、ユーザではなくディーラーでのみ行うようにすることもできる。
【発明の効果】
【００１７】
この発明によれば、能動音響演出装置のオン・オフスイッチの取り付けコストを低減することができる。また、簡易な構成で能動音響演出装置の作動、非作動を切り替えることができる。
【発明を実施するための最良の形態】
【００１８】
この発明に係る車載音響システムについて、好適な実施の形態を挙げ、添付の図面を参照しながら以下に説明する。
【００１９】
図１は、この発明の実施形態に係る車載音響システム１０のブロック図である。この車載音響システム１０は、図示しない車両に搭載される。
【００２０】
図２は、車載音響システム１０の回路基板１６を収容する車載音響ユニット５０の外観構成を示す斜視図である。
【００２１】
図３は、回路基板１６を収容する車載音響ユニット５０の概略的な内部構成を示す説明図である。
【００２２】
図４は、車載音響ユニット５０がダッシュボード７０に取り付けられている状態を示す説明図である。図４から分かるように、車載音響ユニット５０の操作パネル１８は、運転者等のユーザにより操作及び視認可能である。
【００２３】
図１及び図３に示すように、車載音響システム１０は、基本的には、演出音信号Ｓｃを生成する能動音響演出装置１２とオーディオ信号Ｓａを生成するオーディオ装置１４とを搭載した回路基板１６と、オーディオ装置１４の機能を操作する操作パネル１８と、演出音及び（又は）楽音を出力する車載のスピーカ２０とを備える。なお、スピーカ２０は代表して１個を描いている。
【００２４】
図１に示すように、能動音響演出装置１２は、制御手段であり増幅率・ゼロ切替部としても機能するＣＰＵ３２と、ＲＯＭであるメモリ３４と、ＣＰＵを含む演出音信号生成部３６と、増幅部３８と、Ｄ／Ａ変換器４０とを備える。
【００２５】
オーディオ装置１４は、ＣＰＵを含む音源４２と、電源４６と、Ｄ／Ａ変換器４８と、加算器４９と、増幅器５２とを備える。
【００２６】
音源４２は、それぞれが音源であるＣＤドライブからのオーディオ信号、ＡＭ・ＦＭラジオチューナ等からのオーディオ信号を切り替えるとともにオーディオ信号の可変増幅機能、イコライザ機能を備えている。
【００２７】
操作パネル１８には、液晶表示部（ＬＣＤ）６２と、それぞれがタッチスイッチである電源スイッチ６４と能動音響演出装置１２の作動・非作動を切り替える作動切替部としての演出音オン・オフスイッチ６６と、複数の音源切替スイッチ６８と、コンパクトディスク（ＣＤ）の挿入部７８（図２〜図４参照）等が設けられている。
【００２８】
なお、回路基板１６に能動音響演出装置１２が搭載されない車載音響システムの場合には、図５に示すように、操作パネル１８の表面に貼り付けられる化粧板１８Ｐに演出音オン・オフスイッチ６６に対応する部分の印刷を省略した化粧板１８Ｑが取り付けられる。ただし、能動音響演出装置１２の搭載・非搭載に拘わらず、共通の化粧板１８Ｑを使用し、能動音響演出装置１２が搭載されている場合には、操作パネル１８上に設けられている所定の２つのスイッチ（例えば、ＣＤ音源を選択する音源選択スイッチ６８とラジオを選択しかつＡＭとＦＭを切り替える音源選択スイッチ６８）を同時押しすることで、能動音響演出装置１２の演出音オン・オフスイッチ６６の機能を持たせることもできる。
【００２９】
図１及び図３に示すように、操作パネル１８と回路基板１６とは、リード付きコネクタ１０２Ｂとコネクタ１０２Ａとにより電気的に接続される。
【００３０】
ＣＤチェンジャー等の外部音源と回路基板１６とはリード付きコネクタ１０４Ｂとコネクタ１０４Ａとにより電気的に接続される。
【００３１】
回路基板１６に設けられた電源（オンボード電源）４６と図示しない車載バッテリとはリード付きコネクタ１０６Ｂとコネクタ１０６Ａとにより電気的に接続される。車載バッテリのバッテリ電圧Ｖｂがリード付きコネクタ１０６Ｂ、コネクタ１０６Ａを介して回路基板１６の電源４６に供給される。電源４６は、バッテリ電圧Ｖｂを降圧した安定化電源電圧Ｖｃｃを生成し、生成した電源電圧Ｖｃｃを、オーディオ装置１４内の電子部品と能動音響演出装置１２の電子部品とに回路基板１６内のプリント配線を通じて供給するとともに、回路基板１６内のプリント配線、コネクタ１０２Ａ及びリード付きコネクタ１０２Ｂを介して操作パネル１８のＬＣＤ６２等の電子部品に供給する。
【００３２】
図１に示すように、回路基板１６の増幅器５２の出力とスピーカ２０とはリード付きコネクタ１０８Ｂとコネクタ１０８Ａとにより電気的に接続される。
【００３３】
また、図示しないエンジンのクランク軸の回転検出センサと能動音響演出装置１２の演出音信号生成部３６とはリード付きコネクタ１１０Ｂとコネクタ１１０Ａとにより電気的に接続される。演出音信号生成部３６に対し回転検出センサからエンジン回転数Ｎｅの信号が供給される。
【００３４】
メモリ３４はＲＯＭであり、増幅部３８の増幅率を切り替えるための所定増幅率Ｇとゼロ値０とが格納されている。操作パネル１８上の演出音オン・オフスイッチ６６を一度押す毎に、ＣＰＵ３２の制御下に増幅部３８の増幅率が所定増幅率Ｇ又はゼロ値０に切り替えられる。増幅部３８の増幅率がゼロ値に切り替えられたときには、能動音響演出装置１２の出力である演出音信号Ｓｃがゼロ値となるので、実質的に能動音響演出装置１２が非作動状態とされる。このように、従来技術のように個別の電源オン・オフスイッチにより電気の供給を切り替えるのではなく、能動音響演出装置１２の作動・非作動をソフト的に切り替えているので、電源オン・オフスイッチ分のコストを低減することができる。
【００３５】
ＲＯＭであるメモリ３４に代替して２点鎖線で囲ったＥＥＰＲＯＭのメモリ３４Ｅが装着されているとき、メモリ３４Ｅには、所定増幅率Ｇのみが格納されている。この場合、演出音オン・オフスイッチ６６を１度押すと（又は、１度押したときに、ユーザにＬＣＤ６２又は音声等で、不可逆操作であることを確認してから２度目に押すと）、メモリ３４Ｅの内容がユーザではもどすことのできない不可逆なゼロ値０に書き替えられる（所定増幅率Ｇのデータが消去される）。そのため、ゼロ値に書き替えられた状態で増幅部３８の増幅率はゼロ値に固定されるので、実質的に能動音響演出装置１２が非作動状態とされる。
【００３６】
ゼロ値０に書き替えられたメモリ３４Ｅに再び所定増幅率Ｇを書き込むためには、図３のＣＰＵ３２とメモリ３４Ｅにコネクタ１１０Ａ、１１０Ｂを通じて接続された点線の信号線に示すように、メモリ３４Ｅ及びＣＰＵ３２をコネクタ１１０Ａ及びリード付きコネクタ１１０Ｂを通じてメモリ書込装置８０と電気的に接続する。
【００３７】
実際上、メモリ書込装置８０は、ディーラーにおいて、車載音響ユニット５０をダッシュボード７０から取り外した状態で、リード付きコネクタ１１０Ｂ及びコネクタ１１０Ａを介して電気的に接続が可能な状態になる。すなわち、ＥＥＰＲＯＭであるメモリ３４Ｅの書き替えは、ユーザではなくディーラーでのみメモリ書込装置８０により行えるように構成されている。
【００３８】
この実施形態に係る車載音響システム１０は、基本的は以上のように構成されるものであり、次にその動作について説明する。
【００３９】
予め電圧Ｖｃｃが供給されている操作パネル１８の電源スイッチ６４が押されると、電源４６により電圧Ｖｃｃがオーディオ装置１４全体に供給されるとともに能動音響演出装置１２の全体に供給される。
【００４０】
電源スイッチ６４のオン状態への操作により、能動音響演出装置１２も作動する（立ち上がる）。このとき、増幅部３８には、増幅率として、メモリ３４に記憶されている所定の増幅率Ｇが設定される。なお、車両のイグニッションスイッチがオン状態とされた後、電源スイッチ６４が最初に押されたとき、演出音オン・オフスイッチ６６が自発光するように構成されているので、ユーザは、演出音オン・オフスイッチ６６がオン状態、すなわち能動音響演出装置１２が作動状態であることを視認できる。
【００４１】
音源切替スイッチ６８の操作に対応して音源４２から所望のオーディオ信号が選択されて音源４２から出力される。選択されたオーディオ信号はＤ／Ａ変換器４８を通じてアナログのオーディオ信号Ｓａとして加算器４９の一方の入力に供給される。
【００４２】
その一方、能動音響演出装置１２の演出音信号生成部３６は、エンジン回転数Ｎｅの調波の演出音信号を生成する。生成された演出音信号は、増幅部３８で所定の増幅率Ｇにより増幅され、Ｄ／Ａ変換器４０を通じてアナログの演出音信号Ｓｃとして加算器４９の他方の入力に供給される。また、演出音オン・オフスイッチ６６が一度操作されてオフ状態となっているときには、増幅部３８の増幅率がメモリ３４に記憶されているゼロ値に切り替えられるので、演出音信号Ｓｃの値はゼロ値になる（Ｓｃ＝０）。
【００４３】
すなわち、操作パネル１８の演出音オン・オフスイッチ６６がオン状態となっているときに、Ｄ／Ａ変換器４０から所定増幅された演出音信号Ｓｃが加算器４９の他方の入力に供給される。
【００４４】
加算器４９で上記のオーディオ信号Ｓｄと演出音信号Ｓｃとが加算され、合成信号Ｓｓが増幅器５２を通じてスピーカ２０に供給される。
【００４５】
スピーカ２０から合成信号Ｓｓを構成するオーディオ信号Ｓａに応じた楽音及び演出音信号Ｓｃに応じた演出音が車内に出力される。
【００４６】
以上説明したように上述した実施形態によれば、車載音響システム１０において、車両の振動・騒音に基づいて生成される演出音信号Ｓｃに応じた演出音をスピーカ２０から出力する能動音響演出装置１２と、音源４２に基づいて生成されるオーディオ信号Ｓａに応じた楽音をスピーカ２０から出力するオーディオ装置１４と、ダッシュボード７０に配置され、オーディオ装置１４の機能を操作する操作パネル１８とを備え、オーディオ装置１４の操作パネル１８に能動音響演出装置１２の作動・非作動を切り替える作動切替部としての演出音オン・オフスイッチ６６が設けられている。
【００４７】
すなわち、ダッシュボード７０に配置されるオーディオ装置１４用の操作パネル１８に能動音響演出装置１２の作動・非作動を切り替える演出音オン・オフスイッチ６６を設けるように構成したので、ダッシュボード７０上、オーディオ装置１４の操作パネル１８の取り付け位置以外の他の位置に専用の演出音オン・オフスイッチを取り付ける従来技術に比較して演出音オン・オフスイッチ６６の取り付けコストを低減することができる。
【００４８】
また、能動音響演出装置１２を作動から非作動とするときに、増幅部３８の増幅率を所定増幅率Ｇからゼロ値０に切り替える増幅率・ゼロ切替部としてのＣＰＵ３２を備えているので、従来技術のように能動音響演出装置１２の作動を非作動に切り替えるのに必要な電源オン・オフスイッチが不要となることから、構成を簡単にできる。
【００４９】
なお、所定増幅率Ｇとゼロ値０を記憶するＲＯＭのメモリ３４に代替してＥＥＰＲＯＭのメモリ３４Ｅを搭載した場合には、演出音オン・オフスイッチ６６を押す操作をユーザが一度行うと、メモリ３４Ｅの内容が所定増幅率Ｇからゼロ値０に切り替えられ、ユーザが演出音オン・オフスイッチ６６を再度押しても増幅部３８の増幅率をゼロ値から所定増幅率Ｇにもどすことができないようになる。
【００５０】
この場合、メモリ３４Ｅへの増幅率ゼロ値０から所定増幅率Ｇへの書き換えは、ディーラーにおいて車載音響ユニット５０を取り外し、コネクタ１１０Ａにリード付きコネクタ１１０Ｂを介してメモリ書込装置８０を接続し、この接続状態においてメモリ書込装置８０を利用して行うことができる。
【００５１】
なお、ユーザの誤操作により所定増幅率Ｇをゼロ値０にしてしまわないように、上述した２度押し操作の他、演出音オン・オフスイッチ６６が押されたとき、ユーザに対してこのスイッチの押し操作をさらに所定時間継続すると能動音響演出装置１２の作動が不可逆的に非作動側に切り替えられてしまうことを音声、ブザー及び（又は）ＬＣＤ６２で知らせるようにすることもできる。
【００５２】
また、オーディオ装置１４用の操作パネル１８は、ダッシュボード７０に配置される他、ステアリングハンドルあるいは後席用リモコン等に設けられる。
【００５３】
なお、この発明は、上述の実施の形態に限らず、この発明の要旨を逸脱することなく、種々の構成を採り得ることはもちろんである。
【図面の簡単な説明】
【００５４】
【図１】この発明の実施形態に係る車載音響システムのブロック図である。
【図２】車載音響システムの回路基板を収容する車載音響ユニットの斜視図である。
【図３】操作パネルと車載音響ユニットの概略的な内部構成を示す説明図である。
【図４】車載音響ユニットがダッシュボードに取り付けられている状態を示す説明図である。
【図５】能動音響演出装置が搭載されない車載音響システムの操作パネルの説明図である。
【符号の説明】
【００５５】
１０…車載音響システム                １２…能動音響演出装置
１４…オーディオ装置                  １６…回路基板
１８…操作パネル                      １８Ｐ、１８Ｑ…化粧板
２０…スピーカ                        ３４…メモリ（ＲＯＭ）
３４Ｅ…メモリ（ＥＥＰＲＯＭ）        ３８…増幅部
６６…演出音オン・オフスイッチ        ７０…ダッシュボード
８０…メモリ書込装置
【図１】
2007253841.tif 000003
【図２】
2007253841.tif 000004
【図３】
2007253841.tif 000005
【図４】
2007253841.tif 000006
【図５】
2007253841.tif 000007